(57)【要約】      （修正有）【課題】側溝に溜まった砂泥等を、てこの原理を用いることで、少ない力で容易に除去することができる側溝掃除具を提供する。【解決手段】側溝掃除具１は、先端に掬取部２を設置した長尺のアーム本体と、該アーム本体に、鉛直方向にスライド可能に、且つ回転方向に回転自在に連結された支軸２０とで構成されている。またアーム本体に、支軸２０をスライド可能に連結する連結具４０を装着し、掬取部２と支軸２０との間に、足掛け部１１を形成した。【選択図】図１
0003224614.tif 000002
【実用新案登録請求の範囲】
【請求項１】
先端に掬取部を設置した長尺のアーム本体と、該アーム本体に、鉛直方向にスライド可能に、且つ回転方向に回転自在に連結された支軸とで構成されていることを特徴とする側溝掃除具。
【請求項２】
前記アーム本体に、支軸をスライド可能に連結する連結具を装着した請求項１記載の側溝掃除具。
【請求項３】
前記掬取部と支軸との間に、足掛け部を形成した請求項１または２記載の側溝掃除具。
【請求項４】
前記掬取部に水捌け部を形成した請求項１乃至３のうちいずれか１項に記載の側溝掃除具。
【考案の詳細な説明】
【技術分野】
【０００１】  本考案は、側溝に溜まった砂泥等を、てこの原理を用いることで、少ない力で容易に除去することができる側溝掃除具に関する。
【背景技術】
【０００２】  路面排水または下水排水のため、道路の側端に設けた側溝が設置されている。一般的な側溝の内部には、Ｕ字溝やＬ字溝が埋設されている。また状況に応じて、側溝の上面には、コンクリート製や金属製の蓋が被覆されている。【０００３】  しかし一般的に、経年により側溝の内部には砂泥や落葉等が堆積するため、排水効果が低下してしまうという問題が生じる。そのため定期的にそれら堆積物を除去する必要が生じるが、この除去には長時間の過酷な作業を必要とした。【０００４】  そのため従来より、側溝・溜升の汚泥を容易に取り除く為の掃除具が提案されている（例えば特許文献１参照）。【０００５】  上掲特許文献１の掃除具は、刃（６）付き底面板（２）と側面板（３）及び柄（１）と柄固定部（４）からなり、柄（１）の延長線と刃（６）付き底面板（２）との角度（５）が鋭角であることを特徴としている。
【先行技術文献】
【特許文献】
【０００６】
【特許文献１】特開２００６−３１２８５４号公報
【考案の概要】
【考案が解決しようとする課題】
【０００７】  上掲特許文献１の掃除具は、柄の延長線と刃付き底面板との角度が鋭角であることにより、側溝はもちろん、深い溜升の汚泥を取り除く場合でも、容易に作業ができるが、堆積物を除去する際に生じる過酷な除去作業を軽減するまでには至らなかった。【０００８】  そこで本考案は上記の点に鑑み、側溝に溜まった砂泥等を、てこの原理を用いることで、少ない力で容易に除去することができる側溝掃除具を提供することを特徴とする。
【解決を解決するための手段】
【０００９】  上記課題を解決するために、本考案の側溝掃除具は、先端に掬取部を設置した長尺のアーム本体と、該アーム本体に、鉛直方向にスライド可能に、且つ回転方向に回転自在に連結された支軸とで構成されている。
【００１０】  また前記アーム本体に、支軸をスライド可能に連結する連結具を装着した。
【００１１】  また、前記掬取部と支軸との間に足掛け部を形成した。
【００１２】  さらに、前記掬取部に水捌け部を形成した。
【考案の効果】
【００１３】  長尺アーム本体に、鉛直方向にスライド可能に、且つ回転方向に回転自在に連結された支軸を設置したことで、アーム本体を操作することで、てこの原理により、少ない力で容易に砂泥の除去作業をすることができる。
【図面の簡単な説明】
【００１４】
【図１】  本考案の側溝掃除具の斜視図である。
【図２】  連結具の詳細を示す平面図である。
【図３】  掬取部の側面図である。
【図４】  掬取部の斜視図である。
【図５】  側溝に配置した側溝掃除具の正面図である。
【図６】  掬取部を降下させた状態の正面図である。
【図７】  側溝に堆積した砂泥を除去する状態を示す。
【図８】  砂泥を掬い取った状態を示す。
【図９】  掬い取った砂泥を除去する状態を示す。
【図１０】  掬取部に残った砂泥を取り除く使用状態である。
【考案を実施するための形態】
【００１５】  本考案の側溝掃除具は、側溝に溜まった砂泥等を、てこの原理を用いることで、少ない力で容易に除去することを特徴とする。
以下、本考案の側溝掃除具の実施の形態を図面に基づいて説明する。
【００１６】  図１に示す側溝掃除具１は、先端に掬取部２を設置した長尺のアーム本体１０と、該アーム本体１０に、鉛直方向にスライド可能に、且つ回転方向に回転自在に連結された支軸２０とで構成されている。
【００１７】  前記アーム本体１０は、長尺で、且つ中空状に形成された強靭な金属製パイプにて形成されている。また前記アーム本体１０の先端には、側溝Ａ内に堆積した砂泥Ｂを掬い取る掬取部２が設置されている。さらに掬取部２の近傍には、清掃作業の際、足を掛ける足掛け部１１が設置されている。
【００１８】  前記支軸２０は、中空状で強靭な金属製パイプで形成されている。また前記支軸２０には、図２に示すように、支軸２０をアーム本体１０に対し、鉛直方向にスライド可能に、且つ回転方向に回転自在に連結する装着具３０が装着されている。
【００１９】  また前記アーム本体１０には、前記支軸２０をスライド可能に連結する連結具４０が装着されている。そのため前記支軸２０は、アーム本体１０に対し、鉛直方向にスライド可能に、また回転方向に回転自在に、且つアーム本体１０に対し、水平方向にスライド可能に装着される。
【００２０】  そのため、前記アーム本体１０に対し、前記支軸２０の装着位置を調節することにより、支点の位置が水平方向及び鉛直方向の任意箇所に装着することができる。そのことにより、てこの原理を利用して少ない力で容易に砂泥Ｂを掬い取ることが可能となる。
【００２１】  さらに、前記掬取部２には水捌け部３が形成されている。水捌け部３は、図３に示すように、前記掬取部２の両側面の底部と、図４に示すように、アーム本体１０の付け根部分にそれぞれ形成されている。前記掬取部２に水捌け部３を形成することで、砂泥Ｂ内に含有される水分を除去できるので、砂泥Ｂの重量を軽量化することが可能となり作業性が向上する。
【００２２】  次に、本考案の側溝掃除具１の使用方法を図５乃至図１０に基づいて説明する。
図５は、支軸２０を側溝Ａに配置した状態を示す。この状態で、図６に示すように、アーム本体１０の後部を上部に引き上げ、掬取部２を降下させ砂泥Ｂの前に配置させる。
【００２３】  次に、図７に示すように、アーム本体１０を前方に移動させる。すると、支軸２０の上部が前側に傾斜するとともに、掬取部２が前方移動し、側溝Ａ内の砂泥Ｂを掬い取る。
【００２４】  砂泥Ｂを掬い取った後、図８に示すように支軸２０を垂直状態に維持し、図９に示すようにアーム本体１０を回転させ、掬取部２から砂泥Ｂを地上に廃棄する。また図１０に示すように、支軸２０にて足掛け部１１を叩くことで、掬取部２内に残っている砂泥Ｂを効率よく取り除くことができる。
【００２５】  上述の如く本考案の側溝掃除具は、先端に掬取部を設置した長尺のアーム本体と、アーム本体に、鉛直方向にスライド可能に、且つ回転方向に回転自在に連結された支軸とで構成され、さらにアーム本体に、支軸をスライド可能に連結する連結具を装着したことにより、アーム本体及び支軸を操作することで、てこの原理により、少ない力で容易に砂泥の除去作業をすることができる。
【符号の説明】
【００２６】１    側溝掃除具
２    掬取部
３    水捌け部
１０  アーム本体
１１  足掛け部
２０  支軸
３０  装着具
４０  連結具
Ａ    側溝
Ｂ    砂泥
【図１】
0003224614.tif 000003
【図２】
0003224614.tif 000004
【図３】
0003224614.tif 000005
【図４】
0003224614.tif 000006
【図５】
0003224614.tif 000007
【図６】
0003224614.tif 000008
【図７】
0003224614.tif 000009
【図８】
0003224614.tif 000010
【図９】
0003224614.tif 000011
【図１０】
0003224614.tif 000012